(57)【要約】【課題】簡単な操作で開口の開閉が可能であり、且つ、開口を全開にした際の開口面が広く、視野角も十分確保される折戸装置を提供すること。【解決手段】一対の縦枠と、上枠と、下枠と、からなる枠体によって区画された開口に配置される折戸装置であって、ガイドレールと、折戸と、からなり、ガイドレールは、縦枠側の端部を軸に回動可能なように縦枠に取り付けられる上部・下部回転レール、並びに、上枠と下枠にそれぞれ固着する固定レールからなり、折戸は、縦枠側の端部を軸に回動可能なように縦枠に取り付けられる吊元扉と、吊元扉に回動可能に連結されると共に、ガイドレールに係合する案内ランナを有する戸先扉と、からなると共に、折り畳んで開口を全開にする際には、前記折戸が上部回転レールと下部回転レールと共に前記縦枠側の端部を軸に回動することを特徴とする、折戸装置。【選択図】図２
2016199945.tif 000002
【特許請求の範囲】
【請求項１】
一対の縦枠と、該一対の縦枠の上端部間に架け渡された上枠と、前記一対の縦枠の下端部間に架け渡された下枠と、からなる枠体によって区画された開口に配置される片方向開き式の折戸装置であって、
前記枠体に取り付けられるガイドレールと、前記開口を開閉可能に取り付けられる折戸と、からなり、
前記ガイドレールは、吊元側に配置されると共に、前記縦枠側の端部を軸に回動可能なように前記縦枠に支持丁番を介して取り付けられる上部回転レールと下部回転レール、並びに、戸先側に配置されると共に、前記上枠と前記下枠にそれぞれ固着する上部固定レールと下部固定レールからなり、
前記折戸は、前記縦枠側の端部を軸に回動可能なように前記縦枠に支持丁番を介して取り付けられる吊元扉と、該吊元扉の戸先側部分に回動可能に連結されると共に、前記ガイドレールに係合して水平方向に自由に移動可能に支持する案内ランナを戸先側の上部及び下部に有する戸先扉と、からなると共に、前記開口を全開にする際には、前記案内ランナが前記上部回転レールと前記下部回転レール内に収納され、前記折戸が前記上部回転レールと前記下部回転レールと共に前記縦枠側の端部を軸に回動することを特徴とする、折戸装置。
【請求項２】
前記開口を閉じる際には、前記下部回転レールを前記下枠に止着し、前記開口を全開にする際には、前記下部回転レール内で前記案内ランナの位置を固定することが可能なロック部材を有することを特徴とする、請求項１記載の折戸装置。
【発明の詳細な説明】
【技術分野】
【０００１】
本発明は、倉庫や仏間、窓等の雨戸、サンルームの窓等に用いられる折戸装置に関するものである。
【背景技術】
【０００２】
人や物の出入り口や、窓等の開口に取り付けられる建具として、内外を隔てる、言い換えるならば、ある任意空間を他と遮断する役目をする折戸装置というものが従来からあり、後記特許文献に記載のようなものが提案されている。
【０００３】
特許文献１では、開口の上部と下部に設けられるガイドレールと、一対の戸体の内端側を互に回動可能に連結して折り畳み可能とし、上記開口内に開閉可能に配置される一又は複数個の折り戸と、該折り戸の上部及び下部の両側に設けられ、上記ガイドレールに係合して折り戸を水平方向に自由に移動及び折り畳み可能に支持する支持体とを有する折戸装置が提案されている。
【先行技術文献】
【特許文献】
【０００４】
【特許文献１】特開平０８−８６１３９号公報
【発明の概要】
【発明が解決しようとする課題】
【０００５】
しかしながら、前記特許文献１で提案されるような折戸を折り畳み、開口を全開にした際には、折戸は縦枠の内側面に沿い、尚且つ、開口面に対して略直角になるので、折り畳んだ折戸の分だけ開口が狭くなり、人や物の出入りが不便であるし、視野角も折り畳んだ折戸のせいで狭くなるという問題があった。
【０００６】
本発明は上記実情を考慮したもので、その解決課題は、簡単な操作で開口の開閉が可能であり、且つ、開口を全開にした際の開口面が広く、視野角も十分確保される折戸装置を提供することである。
【課題を解決するための手段】
【０００７】
前記の課題を解決するための本発明は、一対の縦枠と、該一対の縦枠の上端部間に架け渡された上枠と、前記一対の縦枠の下端部間に架け渡された下枠と、からなる枠体によって区画された開口に配置される片方向開き式の折戸装置であって、前記枠体に取り付けられるガイドレールと、前記開口を開閉可能に取り付けられる折戸と、からなり、前記ガイドレールは、吊元側に配置されると共に、前記縦枠側の端部を軸に回動可能なように前記縦枠に支持丁番を介して取り付けられる上部回転レールと下部回転レール、並びに、戸先側に配置されると共に、前記上枠と前記下枠にそれぞれ固着する上部固定レールと下部固定レールからなり、前記折戸は、前記縦枠側の端部を軸に回動可能なように前記縦枠に支持丁番を介して取り付けられる吊元扉と、該吊元扉の戸先側部分に回動可能に連結されると共に、前記ガイドレールに係合して水平方向に自由に移動可能に支持する案内ランナを戸先側の上部及び下部に有する戸先扉と、からなると共に、前記開口を全開にする際には、前記案内ランナが前記上部回転レールと前記下部回転レール内に収納され、前記折戸が前記上部回転レールと前記下部回転レールと共に前記縦枠側の端部を軸に回動することを特徴とする。
【０００８】
そして、前記折戸装置の開閉操作をより簡単にするためには、前記開口を閉じる際には、前記下部回転レールを前記下枠に止着し、前記開口を全開にする際には、前記上部回転レールと前記下部回転レール内で前記案内ランナの位置を固定することが可能なロック部材を有することが好ましい。
【発明の効果】
【０００９】
本発明のような構成であれば、開口を全開にしたい場合には、折戸が上部回転レールと下部回転レールと共に縦枠側の端部を軸に回動するので、開口面が広く、且つ、視野角も十分確保することができる。
【００１０】
また、開口を閉じる際には、下部回転レールを下枠に止着し、開口を全開にする際には、下部回転レール内で案内ランナの位置を固定することが可能なロック部材を有する構成であれば、開口を閉じる際には、下部回転レールが固定されているため、邪魔にならないし、開口を全開にする際、言い換えるならば、吊元扉と戸先扉の背面側が合わさるように折戸を折り畳んだ後に上部回転レールと下部回転レールと共に縦枠側の端部を軸に回動させる際には、回転レールと吊元扉と戸先扉が完全に一体となって回動することができるため、本発明の折戸装置の開閉操作がスムーズになり、より簡単な操作で開口の開閉が可能となる。
【図面の簡単な説明】
【００１１】
【図１】（イ）、（ロ）図は、本発明の折戸装置で開口を閉じた状態を、正面側、背面側からそれぞれ示した斜視図である。
【図２】（イ）図は、本発明の折戸装置の折戸を折り畳んだ状態を、背面側から示した斜視図、（ロ）図は、本発明の折戸装置の折戸を折り畳み、その後、更に回転レールごと回転させた状態を、背面側から示した斜視図である。
【図３】（イ）図は、本発明の折戸装置の折戸を折り畳んだ状態を、正面側から示した斜視図、（ロ）図は、下部に備えたロック部材を拡大して示した斜視図である。
【図４】（イ）、（ロ）図は、本発明の折戸装置のロック部材の動作状態を示す概念図である。
【図５】（イ）図は、本発明の折戸装置の上部側ガイドレール、吊元扉、戸先扉を除いた平面図、（ロ）図は、戸先側から見た下部固定レールの側面図、（ハ）図は、戸先側から見た下部回転レールの側面図、（ニ）図は、下部回転レールを回転させた際の状態を戸先側から見た側面図、（ホ）図は、戸先側から見た閉止部材の側面図である。
【発明を実施するための形態】
【００１２】
以下、本発明の実施の形態を図１から図５を参照して詳細に説明する。まず、本発明による折戸装置２０は、図１（イ）、（ロ）、図２（イ）、（ロ）等に示すように、一対の四角柱状の縦枠１２、１２と、一対の縦枠１２、１２の上端部間に架け渡された図示しない上枠と、一対の縦枠１２、１２の下端部間に架け渡された下枠１３と、からなる枠体によって区画された開口１００に配置される片方向開き式の折戸装置２０であり、折戸２３と、ガイドレール２５と、ロック部材２９と、からなる。
【００１３】
そして、折戸２３は、図１、２に示すように、開口１００を開閉可能に配置されるものであって、吊元扉３０と、その吊元扉３０の戸先側部分に回動可能なように連結される戸先扉４０と、からなり、吊元扉３０と戸先扉４０の背面側が合わさるように折り畳むことが可能なものである。なお、吊元扉３０と戸先扉４０の大きさは、連動回転可能なように任意に変更可能なものであって、吊元扉３０のほうが戸先扉４０に比べて幅狭であることが望ましい。そして、この折戸２３は、折り畳んだ後には、上部回転レール５０及び下部回転レール７０と共に、更に約９０度回転することが可能である。
【００１４】
そして、前記した吊元扉３０は、図１（イ）に示すように、縦枠１２と接近する端部、より詳しく述べるならば、開口１００を閉じた際に、縦枠１２の正面と略面一となる吊元扉３０の正面の端部を軸に約１８０度回動可能なように縦枠１２に扉支持丁番３１、３１を介して取り付けられるものである。なお、この吊元扉３０の素材としては、例えば、ベニヤ板に化粧シートを貼った、合板等を面材にし、その中に芯材として積層材を備えたものや、パイン材とスプルス材の混合品等が望ましいが、特に限定はなく、また、窓等を有するものであってもよい。
【００１５】
そして、前記した戸先扉４０は、図２（ロ）に示すように、吊元扉３０の戸先側部分に回動可能に連結されるように、連結丁番４１、４１を備え、その連結丁番４１、４１によって、吊元扉３０と連結すると共に、図１（イ）、図４に示すように、上部及び下部に案内ランナ４４をそれぞれ有する。なお、案内ランナ４４は、戸先扉４０を水平方向に自由に移動可能に支持するものであって、折戸２３を折り畳み可能にするものであって、後述するガイドレール２５と係合するものである。そして、この戸先扉４０の素材としては、例えば、ベニヤ板に化粧シートを貼った、合板等を面材にし、その中に芯材として積層材を備えたものや、パイン材とスプルス材の混合品、ポリ塩化ビニルや、ポリカーボネイト等が望ましいが、特に限定はなく、また、窓等を有するものであってもよい。また、図１（イ）、図３（イ）に示すように、把手４３を備えるものであることが望ましい。
【００１６】
そして、前記したガイドレール２５は、上部回転レール５０と下部回転レール７０、並びに、上部固定レール６０と下部固定レール８０からなり、それぞれのレール内には前記した案内ランナ４４と係合するための溝（凹部）を有する。
【００１７】
上部回転レール５０は、図１、２、３に示すように、吊元側に配置されると共に、縦枠１２側の端部を軸に約９０度回動可能なように縦枠１２の上部に取り付けられるものであって、縦枠１２の上部には、上部回転レール支持丁番５１等を介して取り付けられるものである。なお、この上部回転レール５０と、後記する上部固定レール６０とに設けられた溝、言い換えるならば、戸先扉４０の案内ランナ４４が走る凹部は面一である。
【００１８】
そして、上部固定レール６０は、図１、２、３に示すように、戸先側に配置されると共に、図示しない上枠に固定取付けされるものである。そして、前記したように、上部固定レール６０と、上部回転レール５０とに設けられた溝、言い換えるならば、戸先扉４０の案内ランナ４４が走る凹部は面一である。
【００１９】
また、下部回転レール７０は、図１、２、３、４、５に示すように、吊元側に配置されると共に、縦枠１２側の端部を軸に約９０度回動可能なように縦枠１２の下部に取り付けられるものであって、縦枠１２の下部には、下部回転レール支持丁番７１等を介して取り付けられるものである。なお、この下部回転レール７０と、後記する下部固定レール８０とに設けられた溝、言い換えるならば、戸先扉４０の案内ランナ４４が走る凹部は面一である。そして、この下部回転レール７０には、後述するロック部材２９の一部が備えられていることが好ましい。
【００２０】
そして、下部固定レール８０は、図１、２、３、４、５に示すように、戸先側に配置されると共に、下枠１３に固定取付けされるものである。そして、前記したように、下部固定レール８０と、下部回転レール７０とに設けられた溝、言い換えるならば、戸先扉４０の案内ランナ４４が走る凹部は面一である。
【００２１】
ロック部材２９は、開口１００を閉じる際には、下部回転レール７０を下枠１３に止着し、開口１００を全開にする、言い換えるならば、吊元扉３０と戸先扉４０の背面側が合わさるように折戸２３を折り畳んだ後に上部回転レール５０と下部回転レール７０と共に縦枠１２側の端部を軸に９０度回動する際には、下部回転レール７０内で吊元扉３０と戸先扉４０の位置を固定することが可能なものである。そして、本実施例では、このロック部材２９は、図３（ロ）、図４、５に示すように、下部回転レール７０に備えられるロック棒９０とその回転軸９１、そして、閉止部材収納部９２とその中に収められる閉止部材９３と付勢部材９４、下枠１３に固定されている固定部材１４及び閉止部材止め１５からなり、本発明の折戸装置２０の開閉操作に連動して作動するものである。
【００２２】
前記したロック棒９０は、図３（ロ）、図４に示すように、回転軸９１によって下部回転レール７０の正面側に軸支されているものであって、屈曲部位を有するくの字状の部材である。そして、固定部材１４は、下枠１３に固定されている平面視Ｌ字状の部材であって、この固定部材１４にロック棒９０が嵌ることによって、下部回転レール７０は下枠１３に止着することができる。なお、図４（イ）に示すように、開口１００を本発明の折戸装置２０によって閉じている状況下では、ロック棒９０は、下枠１３に固定されている固定部材１４に嵌まっているので、下部回転レール７０は下枠１３に固定されている。そして、図４（ロ）に示すように、吊元扉３０と戸先扉４０の背面側が合わさるように折戸２３を折り畳んだ、言い換えるならば開口１００を全開にする際には、戸先扉４０の案内ランナ４４によって、ロック棒９０は吊元側に押圧され、回転軸９１を軸に反時計周りに回転する。このことにより、最終的には下枠１３に固定されている平面視Ｌ字状の固定部材１４からロック棒９０が外れ、下部回転レール７０が自由に回動可能となる。そして、再び前記折戸２３を開く、言い換えるならば、開口１００を本発明の折戸装置２０によって閉じる際には、ロック棒９０を押圧する案内ランナ４４が戸先側に移動するので、ロック棒９０は、回転軸９１を軸に時計周りに回転する。そして最終的には、下枠１３に固定されている平面視Ｌ字状の固定部材１４にロック棒９０が嵌ることによって下部回転レール７０を下枠１３に止着する。
【００２３】
前記した閉止部材９３は、図５（ハ）、（ニ）等に示すように、下部回転レール７０の正面側に固定された閉止部材収納部９２側から、バネ等の付勢部材９４の付勢力によって突出し、下部回転レール７０を横貫することが可能なものである。そして、本実施例では、この閉止部材９３は、図５（ホ）に示すように、横倒凹の字に近似した形状、言い換えるならば、平坦な基部９３ａと、この基部９３ａから平行に突設された片持梁状の上部脚片９３ｂ並びに下部脚片９３ｃと、からなるものである。そして、図５（ニ）、（ホ）に示すように、上部脚片９３ｂは、下部脚片９３ｃと比較して、おおよそ下部回転レール７０に設けられた溝幅分ほど短いものであって、下部回転レール７０における正面側の側部を貫通し、下部回転レール７０に設けられた溝、言い換えるならば、戸先扉４０の案内ランナ４４が走る凹部を閉止し、下部回転レール７０内で案内ランナ４４が自由に移動することがないように固定することが可能なものである。一方、下部脚片９３ｃは、下部回転レール７０における底壁部（基部）、言い換えるならば、下部回転レール７０に設けられた溝の底面を構成する部位を貫通し、閉止部材止め１５に突き当たることが可能なものである。なお、前記した閉止部材止め１５は、図１（ロ）、図２、図４、図５（イ）等に示すように、下枠１３に固定されており、且つ、下部回転レール７０と、下部固定レール８０の背面側、言い換えるならば収納側に沿って設けられるものである。
【００２４】
上記のような閉止部材９３は、本発明の折戸装置２０によって開口１００を閉鎖する際には、図５（ハ）に示すように、下部脚片９３ｃが閉止部材止め１５に突き当たることで、付勢部材９４の付勢力を押し留め、突出を制限することが可能なものとなっている。そして、図５（ニ）に示すように、吊元扉３０と戸先扉４０の背面側が合わさるように折戸２３を折り畳んだ後に上部回転レール５０と下部回転レール７０と共に縦枠１２側の端部を軸に折戸２３を回動させていくと、下部脚片９３ｃが閉止部材止め１５に突き当たることが徐々にできなくなり、最終的には、突き当たるものが存在しなくなるため、付勢部材９４の付勢力によって、閉止部材９３の上部脚片９３ｂが下部回転レール７０の正面側に固定された閉止部材収納部９２側から突出し、下部回転レール７０に設けられた溝、言い換えるならば、戸先扉４０の案内ランナ４４が走る凹部を閉止し、下部回転レール７０内で案内ランナ４４が自由に移動することがないように固定する。
【００２５】
なお、本発明の折戸装置２０は、上記実施形態に限定されるものではなく、その趣旨を逸脱しない範囲において適宜変更可能である。例えば、折戸２３は、３枚の扉からなるものであってもよいし、吊元扉３０と戸先扉４０等からなる折戸２３が、開口１００に複数設けられるものであっても問題ない。また、ロック部材２９は、開口１００を閉じる際に、下部回転レール７０を下枠１３に止着すると共に、開口１００を全開にする際に、上部回転レール５０と下部回転レール７０内で案内ランナ４４の位置を固定することが可能なものであれば、上記実施形態以外の形態でも問題なく、フック状の部材や磁石等を用いたものでもよい。
【符号の説明】
【００２６】
１２    縦枠
１３    下枠
１４    固定部材
１５    閉止部材止め
２０    折戸装置
２３    折戸
２５    ガイドレール
２９    ロック部材
３０    吊元扉
３１    扉支持丁番
４０    戸先扉
４１    連結丁番
４３    把手
４４    案内ランナ
５０    上部回転レール
５１    上部回転レール支持丁番
６０    上部固定レール
７０    下部回転レール
７１    下部回転レール支持丁番
８０    下部固定レール
９０    ロック棒
９１    回転軸
９２    閉止部材収納部
９３    閉止部材
９３ａ  基部
９３ｂ  上部脚片
９３ｃ  下部脚片
９４    付勢部材
１００  開口
【図１】
2016199945.tif 000003
【図２】
2016199945.tif 000004
【図３】
2016199945.tif 000005
【図４】
2016199945.tif 000006
【図５】
2016199945.tif 000007